【事件の表示】
　特願２０１３−２６７２０９号「スロットマシン」拒絶査定不服審判事件〔平成２６年　８月　７日出願公開、特開２０１４−１４０６５９号〕について、次のとおり審決する。
【結　論】
　本件審判の請求は、成り立たない。
【理　由】
第１　手続の経緯
　本願は、平成２５年１２月２５日の出願であって、平成２６年１１月２８日付けで拒絶理由通知がなされ、平成２７年１月２６日付けで手続補正がなされたが、平成２７年３月２３日付けで拒絶査定がなされ、これに対し平成２７年５月２７日付けで拒絶査定不服審判の請求がなされるとともに、これと同時に手続補正がなされたものである。
第２　平成２７年５月２７日付けの手続補正についての補正却下の決定
［補正却下の決定の結論］
　平成２７年５月２７日付けの手続補正を却下する。
［理由］
１．補正の概要
　平成２７年５月２７日付けの手続補正（以下、「本件補正」という。）は、特許請求の範囲の請求項１の記載の補正を含む補正であり、特許請求の範囲の請求項１は、
　補正前（平成２７年１月２６日付け手続補正）の
「【請求項１】
　正面側に開口する正面開口部を有する箱形の筐体と、
　正面開口部を閉塞可能な前扉と、
　筐体の内部に設けられ、表面に複数個の図柄が付された複数個の回転リールと、
　前扉に設けられ、各回転リールの一部の図柄を視認可能にする図柄表示窓と、
　各回転リールの回転を開始させるためのスタートスイッチと、
　各回転リールに対応して設けられ、対応する回転リールの回転を停止させるためのストップスイッチと、
スタートスイッチの操作を契機に、当選か又はハズレかの抽選を行うための当選抽選手段と、
　ストップスイッチの操作を契機に、対応する回転リールの回転位置及び当選抽選手段の抽選結果に基づいて、当該回転リールの停止制御を行うための停止制御手段とを備え、
　当選抽選手段の抽選結果に関する情報を報知するアシストタイムを実行可能なスロットマシンであって、
　当選抽選手段の抽選で所定の抽選結果が得られたゲームにおいて所定の一の操作態様でストップスイッチが操作されたことに基づいて、アシストタイムを開始するか否かの抽選を行うアシストタイム開始抽選手段を備え、
　アシストタイム開始抽選手段の抽選で当選したことを契機に、アシストタイムを開始することを特徴とするスロットマシン。」
から、
　補正後（本件補正：平成２７年５月２７日付けの手続補正）の
「【請求項１】
　正面側に開口する正面開口部を有する箱形の筐体と、
　正面開口部を閉塞可能な前扉と、
　筐体の内部に設けられ、表面に複数個の図柄が付された複数個の回転リールと、
　前扉に設けられ、各回転リールの一部の図柄を視認可能にする図柄表示窓と、
　各回転リールの回転を開始させるためのスタートスイッチと、
　各回転リールに対応して設けられ、対応する回転リールの回転を停止させるためのストップスイッチと、
スタートスイッチの操作を契機に、当選か又はハズレかの抽選を行うための当選抽選手段と、
　ストップスイッチの操作を契機に、対応する回転リールの回転位置及び当選抽選手段の抽選結果に基づいて、当該回転リールの停止制御を行うための停止制御手段とを備え、
　当選抽選手段の抽選結果に関する情報を報知するアシストタイムを実行可能なスロットマシンであって、
　当選抽選手段の抽選で所定の抽選結果が得られたゲームにおいて
予め定められた操作順序の内の
順序
のみを契機として、
　アシストタイム開始抽選手段の抽選で当選したことを契機に、アシストタイムを開始することを特徴とするスロットマシン。」
へ補正された（下線部は補正箇所を示す）。
２．補正の適否
（１）補正目的
　本件補正は、アシストタイムを開始するか否かの抽選の実行について、「当選抽選手段の抽選で所定の抽選結果が得られたゲームにおいて所定の一の操作態様でストップスイッチが操作されたことに基づいて」を「当選抽選手段の抽選で所定の抽選結果が得られたゲームにおいて
予め定められた操作順序の内の
順序
のみを契機として
　本件補正により、ストップスイッチの操作について、「所定の一の」操作を「予め定められた操作順序の内の一の」操作に限定すると共に、「操作態様」を「操作順序」に限定している。また、ストップスイッチが操作されたこと「に基づいて」を「のみを契機として」に限定している。したがって、本件補正は特許請求の範囲の減縮に相当する。
　そして、補正前の請求項１に記載された発明と補正後の請求項１に記載された発明の産業上の利用分野及び解決しようとする課題は同一であるから、本件補正は、特許法第１７条の２第５項第２号の特許請求の範囲の減縮を目的とするものに該当する。
（２）新規事項
ア　本件補正後の「
予め定められた操作順序の内の
順序
イ　次に、ストップスイッチが操作されたこと「のみを契機として」との補正事項について検討する。
　請求人は、審判請求書の「３−２．補正の根拠」において、当該補正の根拠として、出願当初の明細書の段落【０１３４】の「具体的には、操作順序記憶手段の記憶する順序が「順押し」、「挟み押し」または「逆挟み押し」のいずれかに該当すると、操作順序判定手段が判定したときには、アシストタイム開始抽選手段360がＡＴ開始抽選を行う。」との記載を挙げている。
　しかしながら、段落【０１３４】は、段落【０１３３】を「具体的には」として補足するものであり、段落【０１３３】の「また、第５の実施の形態では、アシストタイム開始抽選手段360は、当選抽選手段130の抽選結果が「重複チェリー当選」となったゲームにおいて、入賞判定手段170が「チェリー当選役の入賞」と判定し、且つ操作順序判定手段が「複数のストップスイッチ54が所定の順序で操作された」と判定したときに、ＡＴ開始抽選を行う。」との記載に鑑みれば、これらの段落では、「チェリー当選役の入賞」及び「複数のストップスイッチ54が所定の順序で操作された」との判定の２点を契機として、ＡＴ（アシストタイム）開始抽選を行う旨説明していることは明らかである。
　また、当初明細書等の他の箇所を参照しても、予め定められた操作順序の内の一の操作順序でストップスイッチが操作されたこと「のみを契機として」、アシストタイムを開始するか否かの抽選を行うことは記載も示唆もされていない。
ウ　したがって、本件補正は、当初明細書等のすべての記載を総合することにより導かれる技術事項との関係において新たな技術事項を導入するものであり、特許法第１７条の２第３項の規定に違反するものである。
（３）小括
　したがって、本件補正は、特許法第１７条の２第３項の規定に違反するので、同法第５３条第１項の規定により却下すべきものである。
３．独立特許要件
　上記のとおり、本件補正は新規事項を追加するものであるが、仮に、本件補正が当初明細書等の記載の範囲内においてなされたものとし、本件補正後の発明が独立して特許を受けることができるか否か（特許法第１７の２第６項において準用する同法第１２６条第７項の規定に適合するか否か）について以下に補足的に検討する。
（１）本件補正発明
　本件補正発明は、上記１に記載したとおりのものである。
（２）刊行物
　本願の出願前に頒布された刊行物である特開２００３−２９９７７１号公報（以下、「刊行物１」という。）には、図面と共に次の事項が記載されている（下線は審決にて付した。以下、同じ。）。
ア　「【００１５】スロットマシン１０は、
筐体１１の前面扉１２に４個の表示窓１３が設けられ、各々の表示窓１３の奥に第１リール１４ａ、第２リール１４ｂ、第３リール１４ｃ
が回転自在に組み込まれている。
第１〜第３リール１４ａ〜１４ｃの外周には複数種類の絵柄が一定ピッチで配列され、
表示窓１３を通して１リール当たり３個の絵柄が観察可能になる。
・・・
【００１８】
ストップボタン１９ａ〜１９ｃは、これらを操作することにより、各ボタンに対応した第１〜第３リール１４ａ〜１４ｃが個別に停止される。
イ　「【００２４】スタート信号センサ３３は１〜３枚のメダルが投入された後、
スタートレバー１８が操作されたときに
入力する。
・・・
【００２９】ストップボタンセンサ３８ａ〜３８ｃは、ストップボタン１９ａ〜１９ｃが操作されたときに制御部３０ａにリールごとのストップ信号を入力する。
スタートレバー１８を操作して全リールの回転が始まり
ストップボタン１９ａ〜１９ｃの操作が有効化される。その後、これらを操作することによってそれぞれ対応する第１〜第３リール１４ａ〜１４ｃの停止制御が開始される。
【００３０】
第１〜第３リール１４ａ〜１４ｃの停止制御は、当選絵柄４個分の範囲（引き込み範囲）内で行われ
制御部３０ａ及びリール駆動コントローラ３４はリール停止制御手段として機能する。
ウ　「【００３２】制御部３０ａは、
ゲームスタート信号を受けて電子抽選部３９を作動させる。
ゲームが開始されるごとに１つの乱数値を抽選する。
乱数値は当選役決定部４０に入力される。
入力された値に応じて
当選役を
決定する。
エ　「【００３９】
当選役決定部４０でプラムが決定された場合
【００４０】
特定の操作順序でストップボタン１９ａ〜１９ｃが操作されなかった場合、プラム絵柄が入賞有効ライン上に停止しないように
停止制御が行われる。この場合、制御部３０ａはＡＴモード移行抽選部４１を作動させる。
【００４１】
ＡＴモード移行抽選部４１
ＡＴモードへ移行させるか否かの抽選が行われる。この抽選に当選した場合は、
次回のゲームよりＡＴモードに移行される。
【００４２】
ＡＴモードではベルに当選したゲームで、
当選したベルを入賞させることができるストップボタン１９ａ〜１９ｃの操作順序が表示される。
オ　上記アの段落【００１５】の記載事項、図１及び図２より、刊行物１には、「筐体１１は
正面側に開口する正面開口部を有する箱形
正面開口部を閉塞可能
筐体１１の内部に設けられ
前面扉１２に設けられ
カ　上記ア〜エの記載事項及び上記オの認定事項から、刊行物１には以下の発明（以下、「引用発明１」という。）が記載されていると認められる。
「正面側に開口する正面開口部を有する箱形の筐体１１と、
　正面開口部を閉塞可能な前面扉１２と、
　筐体の内部に設けられ、外周に複数種類の絵柄が一定ピッチで配列された第１リール１４ａ、第２リール１４ｂ、第３リール１４ｃと、
　前面扉１２に設けられ、１リール当たり３個の絵柄が観察可能な表示窓１３と、
　全リールの回転を始めるスタートレバー１８と、
　第１〜第３リール１４ａ〜１４ｃに対応し、各リールを個別に停止するストップボタン１９ａ〜１９ｃと、
　スタートレバー１８が操作されたときに入力されるゲームスタート信号を受けて作動し、ゲームが開始されるごとに１つの乱数値を抽選する電子抽選部３９及び入力された乱数値に応じて当選役を決定する当選役決定部４０と、
　ストップボタン１９ａ〜１９ｃの操作により対応する第１〜第３リール１４ａ〜１４ｃの停止制御を開始し、当選絵柄４個分の範囲（引き込み範囲）内で停止制御を行う制御部３０ａ及びリール駆動コントローラ３４とを備え、
　当選したベルを入賞させることができるストップボタン１９ａ〜１９ｃの操作順序を表示するＡＴモードを実行可能なスロットマシンであって、
　当選役決定部４０でプラムが決定され、特定の操作手順でストップボタン１９ａ〜１９ｃが操作されなかった場合、プラム絵柄が入賞有効ラインに停止しないように停止制御され、ＡＴモードへ移行させるか否かの抽選を行うＡＴモード移行抽選部４１を備え、
　ＡＴモード移行抽選部４１の抽選に当選した場合は、次回のゲームよりＡＴモードに移行される、スロットマシン。」
（３）対比
　本件補正発明と引用発明１とを対比する。
ア　引用発明１の「前面扉１２」、「外周に複数種類の絵柄が一定ピッチで配列された第１〜第３リール１４ａ〜１４ｃ」、「絵柄が観察可能な表示窓１３」、「スタートレバー１８」及び「ストップボタン１９ａ〜１９ｃ」は、本件補正発明の「前扉」、「表面に複数個の図柄が付された複数個の回転リール」、「図柄を視認可能にする図柄表示窓」、「スタートスイッチ」及び「ストップスイッチ」にそれぞれ相当する。
　したがって、引用発明１の
「正面側に開口する正面開口部を有する箱形の筐体１１と、
　正面開口部を閉塞可能な前面扉１２と、
　筐体の内部に設けられ、外周に複数種類の絵柄が一定ピッチで配列された第１リール１４ａ、第２リール１４ｂ、第３リール１４ｃと、
　前面扉１２に設けられ、１リール当たり３個の絵柄が観察可能な表示窓１３と、
　全リールの回転を始めるスタートレバー１８と、
　第１〜第３リール１４ａ〜１４ｃに対応し、各リールを個別に停止するストップボタン１９ａ〜１９ｃ」は、
　本件補正発明の
「正面側に開口する正面開口部を有する箱形の筐体と、
　正面開口部を閉塞可能な前扉と、
　筐体の内部に設けられ、表面に複数個の図柄が付された複数個の回転リールと、
　前扉に設けられ、各回転リールの一部の図柄を視認可能にする図柄表示窓と、
　各回転リールの回転を開始させるためのスタートスイッチと、
　各回転リールに対応して設けられ、対応する回転リールの回転を停止させるためのストップスイッチ」に相当する。
イ　引用発明１の「電子抽選部３９」と「当選役決定部４０」は、「乱数値を抽選」し、その乱数値に応じて「当選役を決定」するものであるが、当選役に当選しない場合にはハズレとすることを決定していることは明らかであるので、当該「電子抽選部３９」及び「当選役決定部４０」は、本件補正発明の「当選抽選手段」に相当する。
　したがって、引用発明１の「スタートレバー１８が操作されたときに入力されるゲームスタート信号を受けて作動し、ゲームが開始されるごとに１つの乱数値を抽選する電子抽選部３９及び入力された乱数値に応じて当選役を決定する当選役決定部４０」は、本件補正発明の「スタートスイッチの操作を契機に、当選か又はハズレかの抽選を行うための当選抽選手段」に相当する。
ウ　引用発明１は、「当選絵柄４個分の範囲（引き込み範囲）内で停止制御を行う」ものであり、このような引き込みが「回転リールの回転位置」と「当選抽選手段の抽選結果」に基づいて行われることは明らかである。
　したがって、引用発明１の「ストップボタン１９ａ〜１９ｃの操作により対応する第１〜第３リール１４ａ〜１４ｃの停止制御を開始し、当選絵柄４個分の範囲（引き込み範囲）内で停止制御を行う制御部３０ａ及びリール駆動コントローラ３４」は、本件補正発明の「ストップスイッチの操作を契機に、対応する回転リールの回転位置及び当選抽選手段の抽選結果に基づいて、当該回転リールの停止制御を行うための停止制御手段」に相当する。
エ　引用発明１の「当選したベルを入賞させることができるストップボタン１９ａ〜１９ｃの操作順序」は、本件補正発明の「当選抽選手段の抽選結果に関する情報」に相当するので、引用発明１の「ＡＴモード」は、本件補正発明の「アシストタイム」に相当する。
　したがって、引用発明１の「当選したベルを入賞させることができるストップボタン１９ａ〜１９ｃの操作順序を表示するＡＴモードを実行可能」なスロットマシンは、本件補正発明の「当選抽選手段の抽選結果に関する情報を報知するアシストタイムを実行可能」なスロットマシンに相当する。
オ　引用発明１の「当選役決定部４０でプラムが決定され、特定の操作手順でストップボタン１９ａ〜１９ｃが操作されなかった場合、プラム絵柄が入賞有効ラインに停止しないように停止制御され、ＡＴモードへ移行させるか否かの抽選を行うＡＴモード移行抽選部４１を備え」と本件補正発明の「当選抽選手段の抽選で所定の抽選結果が得られたゲームにおいて予め定められた操作順序の内の一の操作順序でストップスイッチが操作されたことのみを契機として、アシストタイムを開始するか否かの抽選を行うアシストタイム開始抽選手段を備え」とを対比する。
　引用発明１の「プラム」は、本件補正発明の「所定の抽選結果」に相当し、当選役の決定はゲーム毎に行われるので、引用発明１の「当選役決定部４０でプラムが決定され」は、本件補正発明の「当選抽選手段の抽選で所定の抽選結果が得られたゲームにおいて」に相当する。
　また、スロットマシンにおいて３つのストップボタンの操作手順は全部で６通りであり、引用発明１において「特定の操作手順」は予め定められているので、当該「特定の操作手順」以外の操作手順も予め定められることになる。すると、引用発明１の「特定の操作手順でストップボタン１９ａ〜１９ｃが操作されなかった」は、「「特定の操作手順」以外の操作手順の内の一の操作順序で操作された」と同じことであるので、本件補正発明の「予め定められた操作順序の内の一の操作順序でストップスイッチが操作された」に相当する。
　ここで、刊行物１の段落【００３０】の「プラム及びベルを構成するプラム絵柄及びベル絵柄は、それぞれの絵柄同士の間隔が当選絵柄４個分以内となるように配列されており、ストップボタン１９ａ〜１９ｃの操作順序が正しければ、操作タイミングに関係なく入賞されるように第１〜第３リール１４ａ〜１４ｃの停止制御が行われる。」との記載、及び段落【００４０】の「特定の操作順序でストップボタン１９ａ〜１９ｃが操作されなかった場合、プラム絵柄が入賞有効ライン上に停止しないように第１〜第３リール１４ａ〜１４ｃの停止制御が行われる。この場合、制御部３０ａはＡＴモード移行抽選部４１を作動させる。」との記載を合わせて参照すれば、引用発明１において、プラムが入賞した場合、「特定の操作順序でストップボタン１９ａ〜１９ｃが操作されなかった」場合のみにおいて（すなわち、「予め定められた操作順序の内の一の操作順序でストップスイッチが操作された」場合のみにおいて）プラムが入賞せず、ＡＴモード移行抽選部４１が作動されるといえる。
　さらに、引用発明１の「ＡＴモードへ移行させるか否かの抽選を行うＡＴモード移行抽選部４１」は、本件補正発明の「アシストタイムを開始するか否かの抽選を行うアシストタイム開始抽選手段」に相当する。
　以上より、引用発明１の「当選役決定部４０でプラムが決定され、特定の操作手順でストップボタン１９ａ〜１９ｃが操作されなかった場合、プラム絵柄が入賞有効ラインに停止しないように停止制御され、ＡＴモードへ移行させるか否かの抽選を行うＡＴモード移行抽選部４１を備え」は、本件補正発明の「当選抽選手段の抽選で所定の抽選結果が得られたゲームにおいて予め定められた操作順序の内の一の操作順序でストップスイッチが操作されたことのみを契機として、アシストタイムを開始するか否かの抽選を行うアシストタイム開始抽選手段を備え」に相当する。
カ　引用発明１では、「ＡＴモード移行抽選部４１の抽選に当選した場合は、次回のゲームよりＡＴモードに移行」するので、「ＡＴモード移行抽選部４１の抽選に当選」したことを契機にＡＴモードに移行している。
　したがって、引用発明１の「ＡＴモード移行抽選部４１の抽選に当選した場合は、次回のゲームよりＡＴモードに移行される」は、本件補正発明の「アシストタイム開始抽選手段の抽選で当選したことを契機に、アシストタイムを開始する」に相当する。
　上記ア〜カより、引用発明１は、「正面側に開口する正面開口部を有する箱形の筐体と、
　正面開口部を閉塞可能な前扉と、
　筐体の内部に設けられ、表面に複数個の図柄が付された複数個の回転リールと、
　前扉に設けられ、各回転リールの一部の図柄を視認可能にする図柄表示窓と、
　各回転リールの回転を開始させるためのスタートスイッチと、
　各回転リールに対応して設けられ、対応する回転リールの回転を停止させるためのストップスイッチと、
スタートスイッチの操作を契機に、当選か又はハズレかの抽選を行うための当選抽選手段と、
　ストップスイッチの操作を契機に、対応する回転リールの回転位置及び当選抽選手段の抽選結果に基づいて、当該回転リールの停止制御を行うための停止制御手段とを備え、
　当選抽選手段の抽選結果に関する情報を報知するアシストタイムを実行可能なスロットマシンであって、
　当選抽選手段の抽選で所定の抽選結果が得られたゲームにおいて予め定められた操作順序の内の一の操作順序でストップスイッチが操作されたことのみを契機として、アシストタイムを開始するか否かの抽選を行うアシストタイム開始抽選手段を備え、
　アシストタイム開始抽選手段の抽選で当選したことを契機に、アシストタイムを開始することを特徴とするスロットマシン。」である。
　したがって、本件補正発明と引用発明１との間に差異はない。
　よって、本件補正発明は、特許出願前に日本国内又は外国において、頒布された刊行物１に記載された発明である。
（４）請求人の主張
　請求人は、審判請求書において、「引用文献１記載の発明は、解決課題が「プラムの取りこぼしの保証が行われるので、慣れていない遊技者にとっても楽しめ、かつ慣れている遊技者との間での獲得メダル数に差がつきにくい。」にあり、本願発明のような「遊技者にとって、ストップスイッチの操作順序を選択することにワクワクする。」との解決課題はない。」（第７頁第７〜１１行）と主張している。
　しかしながら、本件補正発明と引用発明１とで、発明の解決しようとする課題が異なるとしても、上記（３）のとおり、本件補正発明と引用発明１とは同一であり、本件補正発明は本願の出願前に頒布された刊行物１に照らして新規性を有していないため、拒絶されるべきものである。
　したがって、請求人の主張は採用することができない。
（５）小括
　上記のとおり、本件補正発明は、特許出願前に日本国内又は外国において、頒布された刊行物１に記載された発明である。
４．むすび
　以上より、本件補正は、特許法第１７条の２第３項の規定に違反するので、同法第５３条第１項の規定により却下すべきものである。また、仮に、本件補正が当初明細書等の記載の範囲内においてなされたものとしても、本件補正は、同法第１７条の２第６項で準用する同法第１２６条第７項の規定に違反するものであり、同法第１５９条第１項で読み替えて準用する同法第５３条第１項の規定により却下されるべきものである。
　よって、上記補正の却下の決定の結論のとおり決定する。
第３　本願発明
　本件補正（平成２７年５月２７日付け手続補正）は、上記第２のとおり却下されたので、本願の請求項１に係る発明（以下、「本願発明」という。）は、平成２７年１月２６日付けの手続補正書により補正された、上記第２の１において特許請求の範囲の請求項１に記載された事項により特定されるとおりのものである。
１．刊行物
　原査定の拒絶理由において提示された、本願の出願前に頒布された刊行物である特開２００４−１２１７１０号公報（以下、「刊行物２」という。）には、図面と共に次の事項が記載されている（下線は審決にて付した。以下、同じ。）。
ア　「【００１６】
このスロットマシン２は、
筐体３の前面扉４
３個の表示窓５〜７
各々の表示窓５〜７の奥に第１リール９ａ，第２リール９ｂ，第３リール９ｃが回転自在に組み込まれている。
第１〜第３リール９ａ〜９ｃの外周には様々な絵柄が一定ピッチで配列され、リールが停止した状態では対応する表示窓を通して１リール当たり３個の絵柄が観察される。
・・・
【００２３】
スタートスイッチセンサ２４は、１〜３枚のメダルが投入された後の
スタートレバー１３の操作により
ゲームスタート信号を
入力する。
・・・
【００２７】
ストップボタン１４ａ〜１４ｃの内部にはストップスイッチセンサ３２ａ〜３２ｃがそれぞれ設けられている。これらストップスイッチセンサ３２ａ〜３２ｃは、ストップボタン１４ａ〜１４ｃが押圧されたときにそれぞれオンとなり、ＣＰＵ２１に向けてリールごとのストップ信号を入力する。
スタートレバー１３を操作して全リールの回転が始まり
これらの回転が定常速度に達した時点でストップボタン１４ａ〜１４ｃの操作が有効化される。その後、これらを押圧操作することによってそれぞれ対応する第１〜第３リール９ａ〜９ｃの停止制御が開始される。
イ　「【００２８】
ＣＰＵ２１は、
ゲームスタート信号を受けて電子抽選部３２を作動
電子抽選部３２はゲームが開始されるごとに一つの乱数値をサンプリングし当選役決定部３３に出力する。これを受けて、当選役決定部３３ではそのゲームにおいての当選役又はハズレのいずれかを決定する。このように、ＣＰＵ２１、電子抽選部３２及び当選役決定部３３は当選役決定手段として機能する。
ウ　「【００３５】
操作順序判定部５３は、小役「リプレイ」が当選したときに作動し、遊技者によるストップボタン１４ａ〜１４ｃの操作順序の判定を行う。操作順序判定部５３での操作順序の判定を受けて、
ＣＰＵ２１ではメモリ２２のＲＯＭ領域に記憶された第１〜第４停止制御テーブル５６〜５９から１つを選択して、メモリ２２のＲＡＭ領域に記憶された乱数値と選択され停止制御テーブルとから、リールの停止制御を引き込み制御で行うか蹴飛ばし制御で行うかを決定し、第１〜第３リール９ａ〜９ｃの停止制御を、決定されたリールの停止制御で行う。これにより、ＣＰＵ２１はリール停止制御テーブル選択手段、及びリール停止制御手段として、第１〜第４停止制御テーブル５６〜５９は複数のリール停止制御テーブルとしてそれぞれ機能する。
エ　「【００５４】
また、
第１ＲＴモード中のゲームでの当選役が小役「リプレイ」である場合に、入賞許可決定部６０での決定が小役「リプレイ」を入賞させないことが決定されることがある。
【００５５】
各表示窓に表示された絵柄の組み合わせがチャンス目となる場合、ＡＴ移行決定部６６では、メモリ２２のＲＡＭ領域に記憶された乱数値と第１ＡＴ移行テーブル６７とからＡＴモードに移行させるか否かを決定し、ＡＴモードに移行させることが決定された場合にＡＴ移行回数決定部７０及びＡＴゲーム回数決定部７３をそれぞれ作動させ、ＡＴモードへの移行回数とＡＴモード中のゲーム回数の決定を行う。これにより、次のゲームからＡＴモードが発動し、ＡＲＴモードへと移行する。
オ　「【００５６】
ＡＴモードが発動すると、各ゲームでＬＣＤパネル１０による、例えばストップボタンの操作順序等のアシスト表示が行われるので、遊技者はＬＣＤパネル１０によるアシスト表示に従ってストップボタンを操作するだけで、小役の入賞を得ることができる。
カ　「【００５９】
第２ＲＴモード中のゲームは、第１ＲＴモードと同様に
小役「リプレイ」が当選した場合に、入賞許可決定部６０では第３入賞許可テーブル６３を用いて小役「リプレイ」を入賞させ得るか否かの決定を行う。
【００６０】
また、
入賞許可決定部６０で、小役「リプレイ」を入賞させないことが決定され、且つ停止絵柄決定部６５でチャンス目を表示させることが決定された場合には、遊技者の各ストップボタンの操作順序が順押しであると判定された場合にのみ、チャンス目を表示させるように各リールの停止制御が行われる。そして、ＡＴモードへと移行させるか否かを決定し、ＡＴモードへと移行させることが決定された場合に、ＡＴモード中のゲーム回数とＡＴモードの移行回数とがそれぞれ決定される。
次のゲームからＡＴモードが発動し、ＡＲＴモードのゲームとなる。
キ　上記アの段落【００１６】の記載事項、図１及び図２より、刊行物２には、「筐体３は
正面側に開口する正面開口部を有する箱形
正面開口部を閉塞可能
筐体の内部に設けられ
前面扉４に設けられ
ク　上記ア〜カの記載事項及び上記キの認定事項から、刊行物２には以下の発明（以下、「引用発明２」という。）が記載されていると認められる。
「正面側に開口する正面開口部を有する箱形の筐体３と、
　正面開口部を閉塞可能な前面扉４と、
　筐体３の内部に設けられ、外周に様々な絵柄が一定ピッチで配列された第１リール９ａ、第２リール９ｂ、第３リール９ｃと、
　前面扉４に設けられ、１リール当たり３個の絵柄が観察される３個の表示窓５〜７と、
　操作すると全リールの回転が始まるスタートレバー１３と、
　押圧操作することでそれぞれ対応する第１〜第３リール９ａ〜９ｃの停止制御が開始されるストップボタン１４ａ〜１４ｃと、
　スタートレバー１３の操作により入力されるゲームスタート信号を受けて作動し、ゲームが開始されるごとに一つの乱数値をサンプリングする電子抽選部３２と、これを受けて、そのゲームにおいての当選役又はハズレのいずれかを決定する当選役決定部３３と、
　ストップボタン１４ａ〜１４ｃを押圧操作することによってそれぞれ対応する第１〜第３リール９ａ〜９ｃの停止制御を開始し、リールの停止制御を引き込み制御で行うか蹴飛ばし制御で行うかを決定し、第１〜第３リール９ａ〜９ｃの停止制御を、決定されたリールの停止制御で行うＣＰＵ２１とを備え、
　ＡＴモードが発動すると、各ゲームでＬＣＤパネル１０による、例えばストップボタンの操作順序等のアシスト表示が行われるＡＴモード発動するスロットマシンであって、
　小役「リプレイ」が当選した場合に、小役「リプレイ」を入賞させないことが決定され、且つチャンス目を表示させることが決定された場合には、遊技者の各ストップボタンの操作順序が順押しであると判定された場合にのみ、チャンス目を表示させるように各リールの停止制御が行われ、各表示窓に表示された絵柄の組み合わせがチャンス目となる場合、ＡＴ移行決定部６６では、メモリ２２のＲＡＭ領域に記憶された乱数値と第１ＡＴ移行テーブル６７とからＡＴモードに移行させるか否かを決定し、
　ＡＴ移行決定部６６でＡＴモードへと移行させることが決定された場合に、次のゲームからＡＴモードが発動する、スロットマシン。」
２．対比・判断
　本願発明と引用発明２とを対比する。
ア　引用発明２の「前面扉４」、「外周に様々な絵柄が一定ピッチで配列された第１〜第３リール９ａ〜９ｃ」、「絵柄が観察される表示窓５〜７」、「スタートレバー１３」及び「ストップボタン１４ａ〜１４ｃ」は、本願発明の「前扉」、「表面に複数個の図柄が付された複数個の回転リール」、「図柄を視認可能にする図柄表示窓」、「スタートスイッチ」及び「ストップスイッチ」にそれぞれ相当する。
　したがって、引用発明２の
「正面側に開口する正面開口部を有する箱形の筐体３と、
　正面開口部を閉塞可能な前面扉４と、
　筐体３の内部に設けられ、外周に様々な絵柄が一定ピッチで配列された第１リール９ａ、第２リール９ｂ、第３リール９ｃと、
　前面扉４に設けられ、１リール当たり３個の絵柄が観察される３個の表示窓５〜７と、
　操作すると全リールの回転が始まるスタートレバー１３と、
　押圧操作することでそれぞれ対応する第１〜第３リール９ａ〜９ｃの停止制御が開始されるストップボタン１４ａ〜１４ｃ」は、
　本願発明の
「正面側に開口する正面開口部を有する箱形の筐体と、
　正面開口部を閉塞可能な前扉と、
　筐体の内部に設けられ、表面に複数個の図柄が付された複数個の回転リールと、
　前扉に設けられ、各回転リールの一部の図柄を視認可能にする図柄表示窓と、
　各回転リールの回転を開始させるためのスタートスイッチと、
　各回転リールに対応して設けられ、対応する回転リールの回転を停止させるためのストップスイッチ」に相当する。
イ　引用発明２の「電子抽選部３２」及び「当選役決定部３３」は、「乱数値をサンプリング」し、それにより「当選役又はハズレのいずれかを決定する」ので、本願発明の「当選抽選手段」に相当する。
　したがって、引用発明２の「スタートレバー１３の操作により入力されるゲームスタート信号を受けて作動し、ゲームが開始されるごとに一つの乱数値をサンプリングする電子抽選部３２と、これを受けて、そのゲームにおいての当選役又はハズレのいずれかを決定する当選役決定部３３」は、本願発明の「スタートスイッチの操作を契機に、当選か又はハズレかの抽選を行うための当選抽選手段」に相当する。
ウ　引用発明２は、「リールの停止制御を引き込み制御で行うか蹴飛ばし制御で行うかを決定」するもので、「引き込み制御」と「蹴飛ばし制御」のいずれであっても、「回転リールの回転位置」及び「当選抽選手段の抽選結果」に基づいて、リールの停止制御を行うことになる。
　したがって、引用発明２の「ストップボタン１４ａ〜１４ｃを押圧操作することによってそれぞれ対応する第１〜第３リール９ａ〜９ｃの停止制御を開始し、リールの停止制御を引き込み制御で行うか蹴飛ばし制御で行うかを決定し、第１〜第３リール９ａ〜９ｃの停止制御を、決定されたリールの停止制御で行うＣＰＵ２１」は、本願発明の「ストップスイッチの操作を契機に、対応する回転リールの回転位置及び当選抽選手段の抽選結果に基づいて、当該回転リールの停止制御を行うための停止制御手段」に相当する。
エ　引用発明２の「ストップボタンの操作順序等のアシスト表示」は、本願発明の「抽選結果に関する情報」に相当するので、引用発明２の「ＡＴモード」は、本願発明の「アシストタイム」に相当する。
　したがって、引用発明２の「ＡＴモードが発動すると、各ゲームでＬＣＤパネル１０による、例えばストップボタンの操作順序等のアシスト表示が行われるＡＴモード発動する」スロットマシンは、本願発明の「当選抽選手段の抽選結果に関する情報を報知するアシストタイムを実行可能な」スロットマシンに相当する。
オ　引用発明２の「小役「リプレイ」が当選した場合に、小役「リプレイ」を入賞させないことが決定され、且つチャンス目を表示させることが決定された場合には、遊技者の各ストップボタンの操作順序が順押しであると判定された場合にのみ、チャンス目を表示させるように各リールの停止制御が行われ、各表示窓に表示された絵柄の組み合わせがチャンス目となる場合、ＡＴ移行決定部６６では、メモリ２２のＲＡＭ領域に記憶された乱数値と第１ＡＴ移行テーブル６７とからＡＴモードに移行させるか否かを決定し」と本願発明の「当選抽選手段の抽選で所定の抽選結果が得られたゲームにおいて所定の一の操作態様でストップスイッチが操作されたことに基づいて、アシストタイムを開始するか否かの抽選を行うアシストタイム開始抽選手段」とを対比する。
　引用発明２の「リプレイ」、「順押し」、「ＡＴ移行決定部６６」は、本願発明の「所定の抽選結果」、「所定の一の操作態様」、「アシストタイム開始抽選手段」にそれぞれ相当する。ここで、引用発明２は、「操作順序が所定の一の操作態様（順押し）であると判定された場合にのみ、チャンス目を表示させるように各リールの停止制御が行われ、各表示窓に表示された絵柄の組み合わせがチャンス目となる場合、ＡＴ移行決定部６６では、・・・ＡＴモードに移行させるか否かを決定」するものであり、「所定の一の操作態様（順押し）」でない場合には、「アシストタイム開始抽選手段（ＡＴ移行決定部６６）」は作動しないものと認められる（この点について、段落【００５９】の「これにより、第２ＲＴモード中のゲームでは、第１ＲＴモード中のゲームと同様に、ストップボタンの操作順序を順押しで行うことがＡＴモードを発動させるための前提条件となる。」との記載や図４のフローチャートを参照されたい。）。したがって、引用発明２では、「所定の一の操作態様（順押し）」を行うことが、「アシストタイム開始抽選手段（ＡＴ移行決定部６６）」が作動するのに必要な条件となっているので、「所定の一の操作態様（順押し）」「に基づいて、」「アシストタイム開始抽選手段（ＡＴ移行決定部６６）」による抽選を行うものといえる。
　以上より、引用発明２の「小役「リプレイ」が当選した場合に、小役「リプレイ」を入賞させないことが決定され、且つチャンス目を表示させることが決定された場合には、遊技者の各ストップボタンの操作順序が順押しであると判定された場合にのみ、チャンス目を表示させるように各リールの停止制御が行われ、各表示窓に表示された絵柄の組み合わせがチャンス目となる場合、ＡＴ移行決定部６６では、メモリ２２のＲＡＭ領域に記憶された乱数値と第１ＡＴ移行テーブル６７とからＡＴモードに移行させるか否かを決定し」は、本願発明の「当選抽選手段の抽選で所定の抽選結果が得られたゲームにおいて所定の一の操作態様でストップスイッチが操作されたことに基づいて、アシストタイムを開始するか否かの抽選を行うアシストタイム開始抽選手段を備え」に相当する。
カ　引用発明２の「ＡＴ移行決定部６６でＡＴモードへと移行させることが決定され」ること、「ＡＴモードが発動する」ことは、本願発明の「アシストタイム開始抽選手段の抽選で当選」すること、「アシストタイムを開始する」ことにそれぞれ相当する。
　したがって、引用発明２の「ＡＴ移行決定部６６でＡＴモードへと移行させることが決定された場合に、次のゲームからＡＴモードが発動する」は、本願発明の「アシストタイム開始抽選手段の抽選で当選したことを契機に、アシストタイムを開始する」に相当する。
　上記ア〜カより、引用発明２は、「正面側に開口する正面開口部を有する箱形の筐体と、
　正面開口部を閉塞可能な前扉と、
　筐体の内部に設けられ、表面に複数個の図柄が付された複数個の回転リールと、
　前扉に設けられ、各回転リールの一部の図柄を視認可能にする図柄表示窓と、
　各回転リールの回転を開始させるためのスタートスイッチと、
　各回転リールに対応して設けられ、対応する回転リールの回転を停止させるためのストップスイッチと、
スタートスイッチの操作を契機に、当選か又はハズレかの抽選を行うための当選抽選手段と、
　ストップスイッチの操作を契機に、対応する回転リールの回転位置及び当選抽選手段の抽選結果に基づいて、当該回転リールの停止制御を行うための停止制御手段とを備え、
　当選抽選手段の抽選結果に関する情報を報知するアシストタイムを実行可能なスロットマシンであって、
　当選抽選手段の抽選で所定の抽選結果が得られたゲームにおいて所定の一の操作態様でストップスイッチが操作されたことに基づいて、アシストタイムを開始するか否かの抽選を行うアシストタイム開始抽選手段を備え、
　アシストタイム開始抽選手段の抽選で当選したことを契機に、アシストタイムを開始することを特徴とするスロットマシン。」である。
　したがって、本願発明と引用発明２との間に差異はない。
　よって、本件補正発明は、特許出願前に日本国内又は外国において、頒布された刊行物２に記載された発明である。
３．むすび
　以上のとおりであるから、本願発明は、特許法第２９条第１項第３号の規定により特許を受けることができない。したがって、その余の請求項については検討するまでもなく、本願は拒絶されるべきものである。
　よって、結論のとおり審決する。